(57)【要約】【課題】高い横漏れ防止機能を有する立体ギャザーを備えた吸収性物品を提供する。【解決手段】透液性のトップシートと、非透液性のバックシートと、前記両シートの間に設けられた吸収体と含む本体と、前記本体から起立可能な立体ギャザーとを備えた吸収性物品であって、前記立体ギャザーは、前記本体の前記トップシート側の幅方向両側部に配置されたギャザーシートと、前記ギャザーシートを前後方向に沿って収縮させるように配置された弾性部材とを備え、前記弾性部材は、前記立体ギャザーの自由端から離れた位置で、前記ギャザーシートに含まれる少なくとも１枚のシート材の各面にそれぞれ配置された第１弾性部材及び第２弾性部材を含む。【選択図】図３
2020156684.tif 000002
【特許請求の範囲】
【請求項１】
透液性のトップシートと、非透液性のバックシートと、前記両シートの間に設けられた吸収体と含む本体と、
前記本体から起立可能な立体ギャザーとを備えた吸収性物品であって、
前記立体ギャザーは、前記本体の前記トップシート側の幅方向両側部に配置されたギャザーシートと、前記ギャザーシートを前後方向に沿って収縮させるように配置された弾性部材とを備え、
前記弾性部材は、前記立体ギャザーの自由端から離れた位置で、前記ギャザーシートに含まれる少なくとも１枚のシート材の各面にそれぞれ配置された第１弾性部材及び第２弾性部材を含む、吸収性物品。
【請求項２】
前記第１弾性部材及び前記第２弾性部材は、前記立体ギャザーの起立状態で前記シート材の幅方向外面及び内面にそれぞれ位置し、
前記第２弾性部材の収縮力は、前記第１弾性部材の収縮力より大きい、請求項１に記載の吸収性物品。
【請求項３】
前記第１弾性部材及び前記第２弾性部材は、前記立体ギャザーの起立状態で外側及び内側にそれぞれ位置し、
前記第２弾性部材は、前記第１弾性部材より固定端寄りに配置されている、請求項１又は２に記載の吸収性物品。
【請求項４】
前記第１弾性部材が配置された位置から自由端までの領域の幅は、立体ギャザーの全体の幅に対して２０〜６０％である、請求項１から３のいずれか一項に記載の吸収性物品。
【請求項５】
前記弾性部材は、前記立体ギャザーの自由端に配置された第３弾性部材を含む、請求項１から４のいずれか一項に記載の吸収性物品。
【請求項６】
前記ギャザーシートは、少なくとも部分的に複数のシート材が重ねられてなり、
前記第１弾性部材及び前記第２弾性部材はそれぞれ前記シート材によって挟まれ、
前記第２弾性部材が配置された位置から固定端までの領域において重ねられたシート材の枚数は、前記第１弾性部材が配置された位置から自由端までの領域において重ねられたシート材の枚数より多い、請求項１から５のいずれか一項に記載の吸収性物品。
【発明の詳細な説明】
【技術分野】
【０００１】
本発明は、吸収性物品に関する。
【背景技術】
【０００２】
従来、吸収性物品として、パッドタイプ、テープタイプ、パンツタイプといった形態の使い捨ておむつの他、生理用ナプキン、軽失禁用吸水パッド等が知られている。このような吸収性物品の中には、排泄物が吸収性物品の側方から漏れること（横漏れ）を良好に防止するための手段として、吸収性物品本体の幅方向両側部に、本体から肌側に起立する立体ギャザーを形成したものがある。
【０００３】
例えば、特許文献１には、起立不能な基端部と、基端部を支点として厚さ方向の肌側に起立可能な起立部１５４とを含む立体ギャザー１５を備えた使い捨ておむつが開示されている。上記基端部は、起立部１５４の長手方向の両外端縁に配置される第１基端部１５１と、起立部１５４の幅方向の外側縁に配置される第２基端部１５２とを有し、起立部１５４は、シート材同士が接合し、起立部の幅方向の長さを狭める接合部１５３を部分的に有する。当該構成では、接合部１５３が配置されているため、第２基端部１５２と立体ギャザー１５の内側縁との距離が短くなり、立体ギャザー１５の弾性部材１５５と、第２基端部１５２及び第１基端部１５１との間の張力がそれぞれ維持され易く、着用時に立体ギャザー１５が幅方向の外側に倒れこむように展開し難くなることが記載されている（段落０００５、００１４等）。
【先行技術文献】
【特許文献】
【０００４】
【特許文献１】特許第６４１１３９４号公報
【発明の概要】
【発明が解決しようとする課題】
【０００５】
しかしながら、特許文献１に開示の使い捨ておむつでも、装着者が横向きに寝た状態では、本体から起立した立体ギャザーは略水平方向に沿って延在することになってしまう（図５）。そのため、液状排泄物が急激に排泄されることがあると、排泄物は立体ギャザーを伝って先端へと移行し、さらには立体ギャザーを越えて出てしまうことがあり、横漏れ防止機能を発揮できない場合がある。また、特許文献１に開示の使い捨ておむつは、接合部１５３によって立体ギャザーの高さを低く（第２基端部１５２と立体ギャザー１５の内側縁との距離が短く）構成しているため、上記のように排泄物が立体ギャザーを伝ってしまう状況では、横漏れ防止機能は低下しやすい。
【０００６】
上記の点に鑑みて、本発明の一態様は、高い横漏れ防止機能を有する立体ギャザーを備えた吸収性物品を提供することを課題とする。
【課題を解決するための手段】
【０００７】
本発明の第一の態様は、透液性のトップシートと、非透液性のバックシートと、前記両シートの間に設けられた吸収体と含む本体と、前記本体から起立可能な立体ギャザーとを備えた吸収性物品であって、前記立体ギャザーは、前記本体の前記トップシート側の幅方向両側部に配置されたギャザーシートと、前記ギャザーシートを前後方向に沿って収縮させるように配置された弾性部材とを備え、前記弾性部材は、前記立体ギャザーの自由端から離れた位置で、前記ギャザーシートに含まれる少なくとも１枚のシート材の各面にそれぞれ配置された第１弾性部材及び第２弾性部材を含む。
【０００８】
上記第一の態様によれば、立体ギャザーの自由端から離れた位置に、ギャザーシートを前後方向に沿って収縮させるように配置された弾性部材を配置しているので、その位置を中心にギャザーが寄せられる。ここで、ギャザーが寄せられて剛性が増した位置は折れの基点となりやすいため、本態様では、弾性部材が配置された位置を基点として立体ギャザーが折り曲げやすくなる。これにより、弾性部材の収縮力によって両側部のギャザーシートが本体から立ち上がる際、立体ギャザーの自由端側の領域を幅方向内方に傾斜させやすくなる。よって、装着者が横向きで寝た状態（側臥位状態）になり、排泄物が立体ギャザーを伝って略水平方向に移行しても、立体ギャザーの自由端側の領域が壁となることができ、横漏れを防止することができる。
【０００９】
さらに、本態様における弾性部材は、ギャザーシートに含まれる少なくとも１枚のシート材の各面にそれぞれ配置された第１弾性部材及び第２弾性部材であるので、シート材の両面から収縮力を加えることができ、シート材に、ひいてはギャザーシートにギャザーを寄せやすい。両面からギャザーを寄せることができることで、シート材の剛性がさらに増した折り曲げやすい基点を形成することができる。これにより、自由端側の領域を幅方向内方に傾斜させやすくするという上記作用をより確実に奏する。
【００１０】
本発明の第二の態様では、前記第１弾性部材及び前記第２弾性部材は、前記立体ギャザーの起立状態で前記シート材の幅方向外面及び内面にそれぞれ位置し、前記第２弾性部材の収縮力は、前記第１弾性部材の収縮力より大きい。
【００１１】
上記第二の態様によれば、立体ギャザーの起立状態でシート材の幅方向内面に配置された第２弾性部材の収縮力が、幅方向外側に配置された第１弾性部材の収縮力より大きくなっているので、立体ギャザーの起立時には、弾性部材が配置されているシート材の幅方向内面は幅方向外面に比べて大きく縮むことになる。そのため、立体ギャザーも全体として、その内面が本体の中心（幅方向及び前後方向の中心）に向くように変形しやすくなる。よって、立体ギャザーの自由端側の領域を、固定端側の領域に対して幅方向内方により一層傾けやすくすることができる。
【００１２】
本発明の第三の態様では、前記第１弾性部材及び前記第２弾性部材は、前記立体ギャザーの起立状態で外側及び内側にそれぞれ位置し、前記第２弾性部材は、前記第１弾性部材より固定端寄りに配置されている。
【００１３】
上記第三の態様では、立体ギャザーの起立時には、立体ギャザーは、自由端寄りに配置されている第１弾性部材が配置されている位置でまず折れ曲がり始める。この際、立体ギャザーの幅方向内側では、折り曲げられた位置でシート材の内面が局所的に収縮することになるが、続いてシート材を大きく折り曲げようとした場合には、折り曲げ位置の内面に弾性部材が配置されていると、シート材の内面が変形しにくくなって、大きな折り曲げが難しくなる場合がある。これに対し、本態様によれば、立体ギャザーの起立状態でシート材の幅方向内面に配置された第２弾性部材が、第１弾性部材より立体ギャザーの固定端寄りに配置されている。すなわち、内面に配置された第２弾性部材の位置が第１弾性部材の位置に対して固定端側にずらされているので、シート材の幅方向内面の収縮変形がより容易になる。そのため、立体ギャザーの自由端側の領域を幅方向内方により一層傾けやすくすることができる。
【００１４】
本発明の第四の態様では、前記第１弾性部材が配置された位置から自由端までの領域の幅は、立体ギャザーの全体の幅に対して２０〜６０％である。
【００１５】
上記第四の態様によれば、立体ギャザーの自由端側の領域の幅が、立体ギャザー全体の幅に対して所定の割合となっている。これにより、装着者が横向きに寝た場合に、立体ギャザーを伝う排泄物の移行により生じ得る漏れを、立体ギャザーの自由端側の領域によって良好に防止できるとともに、立体ギャザーの十分な起立角度を確保することができる。
【００１６】
本発明の第五の態様では、前記弾性部材は、前記立体ギャザーの自由端に配置された第３弾性部材を含む。
【００１７】
上記第五の態様によれば、立体ギャザーの自由端に追加的に弾性部材が配置されているので、立体ギャザーの自由端側の領域を幅方向内方へより一層傾けやすくすることができる。
【００１８】
本発明の第六の態様では、記ギャザーシートは、少なくとも部分的に複数のシート材が重ねられてなり、前記第１弾性部材及び前記第２弾性部材はそれぞれ前記シート材によって挟まれ、前記第２弾性部材が配置された位置から固定端までの領域において重ねられたシート材の枚数は、前記第１弾性部材が配置された位置から自由端までの領域において重ねられたシート材の枚数より多い。
【００１９】
上記第六の態様によれば、第１弾性部材及び第２弾性部材のいずれもシート材によって挟まれているので、両弾性部材が保護される。また、第２弾性部材が配置された位置から固定端までの領域において重ねられたシート材の枚数は、第１弾性部材が配置された位置から自由端までの領域において重ねられたシート材の枚数より多くなっており、固定端側の領域の厚み及び剛性が、自由端側の領域より高くなっている。これにより、起立した立体ギャザーの固定端側の領域の形状を安定的に維持できる一方、肌に当たりやすい自由端側の領域の柔軟性を向上させることができる。
【発明の効果】
【００２０】
本発明の一態様によれば、高い横漏れ防止機能を有する立体ギャザーを備えた吸収性物品を提供できる。
【図面の簡単な説明】
【００２１】
【図１】本発明の一形態による吸収性物品の平面図である。
【図２Ａ】図１のＩＩ−ＩＩ線断面図である。
【図２Ｂ】図１のＩＩＩ−ＩＩＩ線断面図である。
【図３】立体ギャザーについて説明する図である。
【図４】立体ギャザーの変形例を示す図である。
【図５】従来技術による吸収性物品を示す図である。
【発明を実施するための形態】
【００２２】
以下、本発明の実施の形態について図面を参照しながら説明する。なお、各図面において、特に説明がない限り、同一の又は対応する構成については同一の符号を付して説明を省略する場合がある。また、図面は、発明の理解を助けるための模式的なものである。
【００２３】
（吸収性物品本体の基本構造）
まず、本発明の一形態による吸収性物品本体の基本構造を、パッドタイプの使い捨ておむつ（尿取りパッド）の例に基づき説明する。
【００２４】
図１に、吸収性物品１の平面図を示す。図１は、吸収性物品１を展開し、平面状に伸ばした状態を示す図である。また、図２Ａに、図１のＩＩ−ＩＩ線断面図を示し、図２Ｂに、図１のＩＩＩ−ＩＩＩ線断面図を概略的に示す。
【００２５】
図１、図２Ａ及び図２Ｂに示すように、吸収性物品１は、透液性のトップシート１２と、不透液性のバックシート１１と、両シート１１、１２の間に設けられた吸収体１３とを備えた本体１０を有している。吸収性物品１を装着する際、トップシート１２側が肌側となり、バックシート１１側は、アウター（外側のおむつ）や下着等に固定される非肌側となる。
【００２６】
本形態における吸収性物品本体１０は、厚みを有する扁平な形状を有している。また、平面視形状は、全体として細長い形状となっている。すなわち、本体１０は、ｙ方向（前後方向又は長手方向）に所定の長さを有し、ｙ方向と直交するｘ方向（幅方向）に、上記長さより小さい所定の幅を有する。なお、本明細書においては、＋ｙ方向は、本体１０の後方、すなわち装着時の背側に向かう方向に相当し、−ｙ方向は、吸収性物品１の前方、すなわち装着時の腹側に向かう方向に相当する。また、ｚ方向はｘ方向及びｙ方向に直交する厚み方向であり、＋ｚ方向が肌側になり、−ｚ方向が非肌側となる。
【００２７】
図示の形態では、吸収性物品１及び本体１０の平面視形状は、図１で見て左右対称になっている、すなわち前後方向に延びる中心線を中心軸として線対称になっているが、必ずしも対称の形状でなくともよい。また、吸収性物品１及び本体１０の平面視形状は、上述のように、前後の領域に比べて幅が狭くなっている部分（括れ部分）を有するものでなくとも、前後方向にわたって幅が一定である矩形状等、他の形状とすることもできる。また、図１の例では、形状以外の吸収性物品１の構成（各構成要素の材質、配置等）も、左右対称になっているが、吸収性物品１の構成は必ずしも線対称でなくともよい。
【００２８】
図１に示すように、吸収性物品１は、前後方向で見て中央付近に、股間対応領域Ｃを有する。本明細書において、「股間対応領域」とは、装着時に装着者の股間（股下）に対応させる部分を意味する。股間対応領域Ｃは、例えば、吸収性物品の前後方向中央若しくはその近傍から前方の所定位置までの範囲であってもよいし、吸収性物品の前後方向中央の所定範囲であってよい。なお、図示の例では、吸収性物品１には、幅が狭くなっている括れ部分が形成されているが、その括れ部分が形成されている領域の一部が股間対応領域となっている。また、股間対応領域Ｃの前方に隣接し、吸収性物品１の前端までの領域が前方領域Ｆとなっており、股間対応領域Ｃの後方に隣接し、吸収性物品１の後端までの領域が後方領域Ｂとなっている。
【００２９】
吸収性物品１の全長（前後方向の長さ）は、３５０〜７００ｍｍ程度、全幅（幅方向の長さ）は１３０〜４００ｍｍ程度とすることができる。また、股間対応領域Ｃの前後方向の長さは１０〜１５０ｍｍ程度、前方領域Ｆの前後方向の長さは５０〜３５０ｍｍ程度、後方領域Ｂ１の前後方向の長さは５０〜３５０ｍｍ程度とすることができる。また、吸収性物品１が括れ部分有する場合、その最小幅は、吸収性物品１の全幅（括れ部分の前後における幅方向の長さ）の５０〜９０％程度であるのが好ましい。
【００３０】
バックシート１１のサイズは、吸収体１３よりも大きく、吸収性物品１全体のサイズに相当し得る。吸収体１３は、バックシート１１の範囲内に収まるように配置することができる。不透液性のバックシート１１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。なお、バックシート１１の非肌側の面は、不織布等の外装シートにより覆うこともできる。
【００３１】
トップシート１２は、少なくとも吸収性物品１の幅方向の中央領域を覆っていればよく、図示の例のように、吸収体１３の幅方向両端領域を覆っていなくてもよいし、吸収体１３全体を覆う大きさを有していてもよい。図示の例のようにトップシート１２が吸収体１３を部分的に覆っていない場合、吸収体１３の周縁においては、トップシート１２がバックシート１１に重ね合され接着されている部分と、ギャザーシート４０（後に詳説）がバックシート１１に重ね合され接着されている部分が形成されている。
【００３２】
トップシート１２としては、有孔又は無孔の不織布や穴あきプラスチックシートなどを用いることができる。不織布を構成する素材繊維としては、ポリエチレン、ポリプロピレン等のオレフィン系、ポリエステル系、アミド系等の合成繊維の他、レーヨン、キュプラ等の再生繊維、綿等の天然繊維を用いることができる。
【００３３】
なお、トップシート１２と吸収体１３との間には、中間シートを介在させることができる。中間シートを設けることで、吸収体１３により吸収した体液の逆戻りを防止することができる。そのため、中間シートとしては、保水性が低く且つ液透過性の高い素材、例えば各種の不織布、メッシュフィルム等を用いるのが好ましい。
【００３４】
吸収体１３は、吸収性物品１全体の平面視形状と同様に、括れ部分を有する平面視形状を有する。しかし、吸収体１３の平面視形状は、吸収性物品１の平面視形状にかかわらず、前後方向にわたって幅が一定である括れ部分のない矩形状等とすることもできる。
【００３５】
吸収体１３に含まれる材料としては、パルプ繊維の積繊体、セルロースアセテート等のフィラメントの集合体、不織布等であってよく、必要に応じて粒子状等の高吸収性ポリマーを混合、固着等してなるものを用いることができる。また、高吸収性ポリマー繊維や、高吸収性ポリマー粒子以外のポリマー粒子や無機粒子等を含んでいてもよい。
【００３６】
吸収体１３は、一層からなっていてもよいし、複数の層からなる積層体からなっていてもよい。また、吸収体１３は、不織布やクレープ紙等の包装シートで包まれていることが好ましい。包装シートの使用は、吸収体１３がポリマー粒子等の粒子状材料を含む場合には、材料のこぼれを含むことができ、特に好ましい。吸収体１３が複数層からなる場合、各吸収体層が包装シートによって包まれていてもよいし、包装シートが層間に挟まれていてもよい。また、包装シートは、無着色（すなわち、白色）であってもよいし、着色されていてもよい。色は、排出された体液の色を目立たなくすることができる色、例えば体液の色に近い色、又は体液の色の補色若しくはそれに近い色等にすることができる。
【００３７】
（立体ギャザー）
吸収性物品１はさらに、本体１０のトップシート１２側の幅方向両側部に前後方向に沿って設けられた一対の立体ギャザーを備えている。立体ギャザーとは、本体１０の厚み方向（＋ｚ方向）に起立した、ギャザーを有する伸縮性のある壁様部分を指す。本形態における一対の立体ギャザーは、トップシート１２側の幅方向両側部に前後方向に沿って配置された一対のギャザーシート４０、４０と、前後方向に沿って各ギャザーシート４０に配置された弾性部材又は弾性収縮部材とによって形成される。立体ギャザーは、弾性部材の収縮力によって起立することができるよう構成されている。弾性部材が前後方向に収縮することによって立体ギャザーの起立とともに、立体ギャザーが設けられた本体１０及び吸収性物品１全体も、前後方向の両端部が肌側（＋ｚ方向）に向かうように湾曲するよう、すなわち前後方向の中央部が非肌側（−ｚ方向）に突出するよう変形することができる。図１には、弾性部材として、平面視で重なる第１弾性部材５１及び第２弾性部材５２、並びに第１弾性部材５１及び第２弾性部材５２から離間して平行に配置された第３弾性部材５３が示されている。
【００３８】
一対のギャザーシート４０、４０は、図１に示すように、本体１０の肌側（トップシート１２側）の両側部、すなわち幅方向（ｘ方向）の両端領域に、前後方向（ｙ方向）に沿って配置されている。各ギャザーシート４０は、図示のように、吸収性物品１の前後方向の前端から後端にわたって配置されているが、吸収性物品１の少なくとも股間対応領域Ｃに配置されていることが好ましい。
【００３９】
ギャザーシート４０を構成するシート材としては、プラスチックシート、不織布等を使用することができる。肌への感触性が良いという観点から、不織布にシリコーン等によって撥水処理をしたものが好適に使用される。
【００４０】
ギャザーシート４０は、本体１０の肌側（トップシート１２側）に重ねられ、部分的に固定されている。より具体的には、ギャザーシート４０は、場所に応じてトップシート１２、吸収体１３（吸収体１３が包装シートで包まれている場合には包装シート）、又はバックシート１１に重ねられ、接着されている。ギャザーシート４０と本体１０との接着は、例えば、ホットメルト接着剤等の接着剤、ヒートシール、超音波シール等によって行うことができる。図１に、両ギャザーシート４０、４０と本体１０との接着領域を斜線で示す。図１に示すように、各ギャザーシート４０の幅方向外側の部分は、前後方向にわたって本体１０に接着されている。
【００４１】
図１に示すように、各ギャザーシート４０の幅方向外側領域Ｒｅは、前後方向にわたって本体１０に接着されている。一方、各ギャザーシート４０の幅方向内側領域Ｒｉは、前後方向の両端部において本体１０に接着されているが、両端部間の領域（前後方向の中央）においては、接着されていない。本形態では、ギャザーシート４０の幅方向内側領域Ｒｉが接着されている区間を固定区間Ｓ１、Ｓ１、接着されていない区間を起立区間Ｓ２と呼ぶ。各ギャザーシート４０に弾性部材の収縮力が働くことで、起立区間Ｓ２が本体１０から起立して立体ギャザーとなる。よって、図１に示すような吸収性物品１が引き伸ばされた状態（弾性部材が引き伸ばされた状態）では、立体ギャザー４８はほとんど立ち上がっていない（図２Ｂ）。なお、図２Ｂにおいては、弾性部材及びギャザーシートの折返し等の図示は省略している。
【００４２】
ギャザーシート４０に配置される弾性部材は、糸状、紐状、帯状（テープ状）等の弾性素材からなるものであってよい。吸収性物品の製造工程における弾性部材の配置は、伸長させた状態の弾性部材を、ギャザーシート４０に、接着剤によって接着、縫込み等によって固定するか、或いはギャザーシートにギャザーを形成した後に、収縮させた状態（力を加えていない状態）の弾性部材を固定することによって行うことができる。
【００４３】
吸収性物品１の製造においては、弾性部材が、伸長された状態でギャザーシート４０に配置される。そのため、弾性部材の収縮状態（伸長されていない状態）では、ギャザーシート４０は、弾性部材の収縮方向に縮められ、ギャザーが寄せられた状態となる。なお、上記の方法に代えて、伸長されていない状態の弾性部材を、ギャザーシート４０にギャザーを寄せた状態で配置してもよい。
【００４４】
弾性部材を構成する弾性素材としては、天然ゴム又は合成ゴム、例えばスチレン系ゴム、オレフィン系ゴム、ウレタン系ゴム、エステル系ゴム、ポリウレタン、ポリエチレン、ポリスチレン、スチレンブタジエン、シリコーン、ポリエステル等が挙げられる。
【００４５】
なお、１つの固定区間Ｓ１の前後方向の長さは、吸収性物品１の前後方向の長さの５〜３０％とすることができる。また、起立区間Ｓ２は、少なくとも股間対応領域Ｃ内の区間であり、好ましくは股間対応領域Ｃを含む区間とすることができる。
【００４６】
図３（ａ）に、吸収性物品１における弾性部材の収縮力が働き、立体ギャザー４８が起立した状態（吸収性物品１の使用時の状態）を示す。図３（ａ）は、図１のＩＩＩ−ＩＩＩ線断面図、すなわち図２Ｂに対応する図であるが、図２Ｂよりも立体ギャザー４８の構成をより具体的に示している。また、立体ギャザー４８の構成を説明するために、図３（ｂ）に、ギャザーシート４０のみを平坦に伸ばした状態の断面図を示す。
【００４７】
本形態では、ギャザーシート４０は、シート材が部分的に折り返されて形成されている。図３（ａ）及び（ｂ）の形態では、ギャザーシート４０の幅方向外端４０ｂから内方に延在するシート材４１が、幅方向内側で本体１０に対向する側（−ｚ方向側）に一度折り返され、幅方向外側で再度本体１０に対向する側（−ｚ方向側）に折り返されている。これにより、ギャザーシート４０において、シート材４１が複数積層された部分を形成している。より具体的には、図３（ｂ）に示すように、シート材４１は、ギャザーシート４０の幅方向外端４０ｂから内方に向かって延び、ギャザーシート４０の幅方向内端４０ａで−ｚ方向側に折り返され、シート材層４１ａとシート材層４１ｂとが重ね合された部分が形成される。シート材層（単に層ともいう）４１ｂは、幅方向外方に向かって延び、上述のギャザーシート４０の幅方向内側領域Ｒｉと幅方向外側領域Ｒｅとの境界（立体ギャザー４８の固定端４８ｂとなる位置）付近まで延び、再度−ｚ方向側に折り返され、層４１ｂの−ｚ方向側に層４１ｃが形成される。図示の形態では、層４１ｃは、ギャザーシート４０の幅方向内端４０ａ（立体ギャザー４８の自由端４８ａとなる位置）から所定距離離れた位置まで延びている。
【００４８】
このように、ギャザーシート４０は、部分的に単層で、部分的に多層の構成とすることができる。図示の形態では、ギャザーシート４０は、シート材４１の単層、２層、及び３層の部分を含んでいるが、シート材が４層以上重ねられた部分があってもよい。また、図示の形態では、１枚のシート材４１を折り返してシート材４１を積層させているが、折り返しによらず、複数のシート材を全体に又は部分的に重ね合せることによって、ギャザーシート４０を構成することもできる。
【００４９】
ギャザーシート４０におけるシート材４１を積層させた部分は、剛性を高めることができる。よって、ギャザーシート４０の構成に応じて、部分的にシート材を複数枚重ねて配置することができる。
【００５０】
図３（ａ）及び（ｂ）に示すように、立体ギャザー４８は、その自由端４８ａ（ギャザーシート４０の幅方向内端４０ａ）から所定距離を置いた位置に、第１弾性部材５１及び第２弾性部材５２を備えている。図３（ａ）及び図（ｂ）に示すように、第１弾性部材５１は、層４１ａと層４１ｂとの間に挟まれており、第２弾性部材５２は、層４１ｂと層４１ｃとの間に挟まれている。このため、第１弾性部材５１及び第２弾性部材５２が外部に露出することなく、保護される。
【００５１】
また、ギャザーシート４０における１枚のシート材（層４１ｂ）に着目すると、第１弾性部材５１及び第２弾性部材５２は、層４１ｂの各面にそれぞれ配置されている。すなわち、第１弾性部材５１は、立体ギャザー４８の起立状態で、層４１ｂの幅方向外面に、第２弾性部材５２は、層４１ｂの幅方向内面に配置されている。
【００５２】
本形態では、２つの弾性部材が１枚のシート材４１（層４１ｂ）の各面に配置されていることで、弾性部材が層４１ｂの両面から作用して、前後方向に収縮力を発揮することができるため、層４１ｂにギャザーを寄せやすくなる。これにより、ギャザーシート４０全体にギャザーが寄せやすく、またギャザーが均一に形成しやすくなる。
【００５３】
シートにギャザーが寄せられて剛性が増した位置は、折れの基点となりやすい。ギャザーが最も確実に寄せられる位置は弾性部材が配置された位置であるので、弾性部材が前後方向に沿って配置されている場合には、弾性部材に沿った前後方向に延びる線状の折れ線にて、ギャザーシートを折り曲げやすくなる。図示の形態では、第１弾性部材５１及び第２弾性部材５２は平面視で重なっている、すなわち幅方向で同じ位置に配置されているので、立体ギャザー４８は、第１弾性部材５１及び第２弾性部材５２が配置されている位置で折れ曲げやすい。ここで、ギャザーシート４０は、前後方向の両端部（固定区間Ｓ１、Ｓ１）で本体１０に接着されていることから（図１及び図２Ａ）、立体ギャザー４８の起立時には、起立区間Ｓ２におけるギャザーシート４０の幅方向内端４０ａには、幅方向内方に引っ張られる力が働く。そのため、図３（ａ）に示すように、立体ギャザー４８の自由端４８ａ側の領域４８Ａが、幅方向内方へと傾斜しやすくなる。また、１つの弾性部材しか配置されていない場合に比べて、折り曲げやすさが向上していることから、幅方向内方に引っ張られる力の多くを自由端側領域４８Ａで受けとめることができるので、立体ギャザー４８の固定端４８ｂ側の領域４８Ｂが不要に引っ張られて起立角度が小さくなることもない。すなわち、立体ギャザー４８の自由端側領域４８Ａの傾斜によって、立体ギャザー４８自体の起立が妨げられることもない。
【００５４】
ここで、図５に、従来の構成による吸収性物品１０１を示す。図５は、従来の吸収性物品１０１を装着して装着者が横向きに寝た状態を示す図であり、吸収性物品１０１の股間対応部の位置で幅方向に沿って切った断面図である。図５には、吸収性物品装着者の身体（脚ＬＧ及び股間部位ＢＤ）の断面を含めて模式的に示している。図５に示すように、吸収性物品１０１は、トップシート１１２と、バックシート１１１と、これらの両シート１１１、１１２間に配置された吸収体１１３とを備えた本体１１０と、ギャザーシート１４０とを有している。そして、装着した装着者が横向きに寝た（側臥位になった）場合、本体１１０から起立した立体ギャザー１４８は略水平方向に延在するような状態になり得る。そのため、液状排泄物が急激に排泄された場合等には、矢印Ｕで示すように、排泄物はギャザーシート１４０を伝って流れ、立体がギャザー１４８を越えて漏れる可能性がある。これに対し、本形態では、図３（ａ）に示すように立体ギャザー４８の自由端側領域４８Ａが幅方向内方に傾斜できることから、装着者が横向きに寝た状態でも、排泄物の流れを阻止する壁が形成され（図５の点線で表示）、横漏れを良好に防止することができる。
【００５５】
本形態では、第２弾性部材５２の収縮力は、第１弾性部材５１の収縮力より大きいことが好ましい。立体ギャザー４８の起立状態で幅方向内面に位置する第２弾性部材５２の収縮力が、幅方向外面に位置する第１弾性部材５１の収縮力より大きいことで、より大きな収縮力が層４１ｂの幅方向内面で働き、幅方向内面を外面よりも収縮させることができる。そのため、立体ギャザー４８の前後方向の両端部が、本体１０の幅方向中心に近付くように変形でき、これにより、特に前後方向の両端部を本体１０に近付けやすく、すなわち幅方向内方へと傾けやすくすることができる。
【００５６】
立体ギャザー４８の起立状態で、自由端側領域４８Ａが傾斜した後の状態での自由端側領域４８Ａと固定端側領域４８Ｂとがなす角度は９０〜１６０°、好ましくは１００〜１４０°となり得る。
【００５７】
弾性部材の収縮力は、弾性部材を構成する弾性素材の本数、太さ、及び材料、並びに製造工程において弾性部材を配置する際の伸長率又はテンション（収縮した状態の長さを１００％とした場合の配置時の長さ）の１つ以上を変更することによって、変更することができる。よって、例えば、第２弾性部材５２の伸長率を、第１弾性部材５１の伸長率より大きくすることで、自由端側領域４８Ａを固定端側領域４８Ｂに対して幅方向内方に傾斜させやすくなるという作用を向上させることができる。
【００５８】
第１弾性部材５１の伸長率は、１２０〜３００％であると好ましく、１４０〜２５０％であるとより好ましい。第２弾性部材５２の伸長率は、１２０〜３００％であると好ましく、１４０〜２５０％であるとより好ましい。上記範囲の伸長率とすることで、立体ギャザー４８を確実に起立させ、且つ自由端側領域４８Ａが幅方向内方へ適度に傾斜でき、吸収性物品１全体が湾曲しすぎることを防止できる。
【００５９】
また、第１弾性部材５１の伸長率に対する第２弾性部材の伸長率の比の値（（第２弾性部材の伸長率）／（第１弾性部材５１の伸長率））は、１．２〜２．５であると好ましく、１．５〜２．０であるとより好ましい。第１弾性部材５１の伸長率に対する第２弾性部材の伸長率の比の値を上記範囲とすることで、立体ギャザー４８の自由端側領域４８Ａを幅方向内方に適切な角度で傾斜させることができる。
【００６０】
第２弾性部材５２の太さは、第１弾性部材５１の太さより大きいことが好ましい。第１弾性部材５１の太さは、３１０〜１２４０ｄｔｅｘであると好ましく、４７０〜６２０ｄｔｅｘであるとより好ましい。第２弾性部材５２の太さは、３１０〜１２４０ｄｔｅｘであると好ましく、６２０〜９４０ｄｔｅｘであるとより好ましい。第１弾性部材５１の太さに対する第２弾性部材の太さの比の値（（第２弾性部材の太さ）／（第１弾性部材５１の太さ））は、１．２〜２．０であると好ましく、１．３〜１．６であるとより好ましい。
【００６１】
本形態では、幅方向内方に倒れる立体ギャザー４８の自由端側領域４８Ａの幅（ギャザーシート４０を伸ばした状態でのギャザーシートの幅方向（ｘ方向）の長さ）、すなわち自由端４８ａからの立体ギャザー４８の折れ曲がり位置までの長さは、立体ギャザー４８全体の幅に対して２０〜６０％であると好ましい。上記折れ曲がり位置は、第１弾性部材５１と第２弾性部材５２とが自由端４８ａから等距離離れて配置されている場合には、第１弾性部材５１及び第２弾性部材５２が配置されている位置となる。また、第１弾性部材５１及び第２弾性部材５２のいずれかが、ギャザーシート４０の幅方向で自由端４８ａ寄りに配置されている場合には、自由端４８ａに近い方の弾性部材が配置されている位置となり得る。
【００６２】
上述のように、本形態におけるギャザーシート４０は、シート材４１が部分的に重ね合されてなる。具体的には、図３（ａ）及び（ｂ）に示すように、立体ギャザー４８を構成するギャザーシート４０の自由端側領域４８Ａは、シート材層４１ａ及び４１ｂが重ね合された２層からなる構成を含み、固定端側領域４８Ｂは、シート材層４１ａ、４１ｂ及び４１ｃが重ね合せされた３層からなる構成を含む。このように、ギャザーシート４０を構成するシート材４１の重ね合せの層数（枚数）が、固定端側領域４８Ｂで多くなっていることで、固定端側領域４８Ａの剛性をより高くすることができる。そのため、立体ギャザー４８が起立した状態で、立体ギャザー４８の基部となる固定端側領域４８Ｂの形状を安定的に維持できる一方、装着者の肌に当たりやすい自由端側領域４８Ａの柔軟性を高めることができる。
【００６３】
図１及び図３に示す形態では、第１弾性部材５１及び第２弾性部材５２に加えて、立体ギャザー４８の自由端４８（ギャザーシート４０の幅方向内端４０ａ）に、追加的に前後方向に沿って第３弾性部材５３が配置されている。図示の形態では、第３弾性部材５３は、ギャザーシート４０の幅方向内端４０ａでのシート材４１の折り返し位置に配置されているが、折り返し位置から所定距離離れた位置に配置することもできる。但し、上記所定距離は、幅方向内方に折り曲げられる自由端側領域４８Ａ内の、自由端側領域４８Ａの幅の５０％以下であると好ましい。
【００６４】
第３弾性部材５３には、第１弾性部材５１及び第２弾性部材５２について説明したものと同じ材料を用いることができる。第３弾性部材５３の収縮力は、第１弾性部材５１の収縮力及び第２弾性部材５２の収縮力の小さい方より小さいと好ましい。また、第３弾性部材５３の伸長率は、第１弾性部材５１の伸長率及び第２弾性部材５２の伸長率の小さい方より小さいと好ましい。
【００６５】
第３弾性部材５３の伸長率は、１２０〜３００％であると好ましく、１４０〜２５０％であるとより好ましい。第１弾性部材５１の伸長率及び第２弾性部材５２の伸長率の小さい方に対する第３弾性部材５３の伸長率の比の値は、１．０〜１．５とすることができる。第３弾性部材５３の太さは、３１０〜１２４０ｄｔｅｘであると好ましく、４７０〜９４０ｄｔｅｘであるとより好ましい。
【００６６】
（立体ギャザーの変形例）
図４に、本形態による吸収性物品１における立体ギャザー４８の変形例を示す。図４（ａ）には、吸収性物品１における弾性部材の収縮力が働き、立体ギャザー４８が起立した状態（吸収性物品１の使用時の状態）を示す。また、ギャザーシート４０の構成を説明するために、図４（ｂ）に、ギャザーシート４０のみを平坦に伸ばした状態の断面図を示す。図４（ａ）及び（ｂ）は、図３（ａ）及び（ｂ）にそれぞれ対応する図である。
【００６７】
図４（ａ）及び（ｂ）に示す例でも、第１弾性部材５１及び第２弾性部材５２が、ギャザーシート４０のうちシート材層４１ｂの両面にそれぞれ配置されている。しかし、図４（ｂ）に示すように、平面視で、第１弾性部材５１の位置と第２弾性部材５２の位置とが重なっていない。より具体的には、第２弾性部材５２は、第１弾性部材５１に比べて立体ギャザー４８の固定端４８ｂ寄りに配置されている。
【００６８】
立体ギャザー４８が起立する際、立体ギャザー４８の自由端４８ａ側に幅方向内方に引っ張られる力がかかると、立体ギャザー４８は、自由端４８ａ寄りの第１弾性部材５１が配置されている位置を基点として折れ曲がり始める。ここで、立体ギャザー４８をさらに大きく曲げようとした場合には、シート材の内面に配置された部材がシート材内面の収縮変形の妨げ、ひいては折り曲げの妨げとなることがある。これに対し、図４（ａ）及び（ｂ）に示すように、第２弾性部材５２が第１弾性部材５１の位置から固定端４８ｂ寄りにずらされて配置されていると、折り曲げ位置においてシート材層４１ｂの内面の収縮変形が容易になって、立体ギャザー４８の自由端４８ａ側の領域４８Ａを幅方向内方により一層傾けやすくすることができる。
【００６９】
平面視で、第１弾性部材５１と第２弾性部材５２との位置のずれは、幅方向で０．５〜２ｍｍであってよい。本形態により、シート材の両面で収縮力が働いてシート材に所定位置でギャザーが寄せやすくできるとともに、自由端側領域４８Ａを大きく折り曲げることが可能になる。
【００７０】
以上、本発明の具体的な実施形態について、パッドタイプの使い捨ておむつを例に説明してきたが、本発明は上述の具体的な形態に限定されることはない。例えば、上述の実施形態は、パットタイプ以外の、テープタイプ、パンツタイプ等の他の形態の使い捨ておむつや生理用ナプキン、軽失禁用パッド等に適用することができる。
【符号の説明】
【００７１】
１  吸収性物品
１０  吸収性物品本体
１１  バックシート
１２  トップシート
１３  吸収体
４０  ギャザーシート
４０ａ  ギャザーシートの幅方向内端
４０ｂ  ギャザーシートの幅方向外端
４１  シート材
４１ａ、４１ｂ、４１ｃ  シート材層
４８  立体ギャザー
４８ａ  立体ギャザーの自由端
４８Ａ  立体ギャザーの自由端側領域
４８ｂ  立体ギャザーの固定端
４８Ｂ  立体ギャザーの固定端側領域
５１  第１弾性部材
５２  第２弾性部材
５３  第３弾性部材
Ｂ  後方領域
Ｃ  股間対応領域
Ｆ  前方方領域
Ｒｅ  ギャザーシートの幅方向外側領域
Ｒｉ  ギャザーシートの幅方向内側領域
Ｓ１  固定区間
Ｓ２  起立区間
【図１】
2020156684.tif 000003
【図２Ａ】
2020156684.tif 000004
【図２Ｂ】
2020156684.tif 000005
【図３】
2020156684.tif 000006
【図４】
2020156684.tif 000007
【図５】
2020156684.tif 000008